(57)【要約】【課題】投射型映像表示装置と映像機器との鑑賞方向を揃えることが出来ると共に、夫々の設置空間を少なくすることが出来る装置を提供することを課題とする。【解決手段】映像機器３８を設置するラック２９と、ラック２９の液晶テレビ設置場所３２の天面に水平設置され、ラック２９の前面へ映像を投射する短焦点プロジェクタ２０と、短焦点プロジェクタ２０から前面に投射された映像を投影可能にラック２９の前面に配置されていると共に収納自在なスクリーン３４と、を備えている。【選択図】  図３
2009204811.tif 000002
【特許請求の範囲】
【請求項１】
映像機器ラックの天面側に配置され前記ラックの前方に映像を投射する短焦点の投射型映像表示装置と、該投射型映像表示装置から投射された映像が投射可能となる投影位置と収納されて投影不能となる収納位置間で変位可能なスクリーンと、前記投射型映像表示装置の下方にあり、映像表示面を前方に向けた状態で映像機器を収納可能な収納部を備える映像機器ラック一体型プロジェクタであり、前記スクリーンが前記投影位置にある場合に、前記収納部は前記スクリーンにより非露出状態となり、前記収納位置にある場合に前記収納部は露出状態となることを特長とする映像機器ラック一体型プロジェクタ。
【請求項２】
映像機器ラックの天面側に配置された投射型映像表示装置と、該投射型映像表示装置の投射レンズからの投射光を屈曲反射させて映像機器ラックの前面へ映像を投射する反射鏡と、前記反射鏡から反射された映像が投射可能となる投影位置と収納されて投影不能となる収納位置間で変位可能なスクリーンと、前記投射型映像表示装置の下方にあり、映像表示面を前方に向けた状態で映像機器を収納可能な収納部を備える映像機器ラック一体型プロジェクタであり、前記スクリーンが前記投影位置にある場合に、前記収納部は前記スクリーンにより非露出状態となり、前記収納位置にある場合に前記収納部は露出状態となることを特長とする映像機器ラック一体型プロジェクタ。
【請求項３】
短焦点の投射型映像表示装置または投射型映像表示装置や映像機器のケーブル類を映像機器ラックの内外へ引き回すための複数のケーブル通し穴を備えた請求項１または請求項２記載の映像機器ラック一体型プロジェクタ。
【発明の詳細な説明】
【技術分野】
【０００１】
本願発明は光源からの光を入力映像信号に基づき変調して、投射レンズを介して映像を投射するプロジェクタ等の投射型映像表示装置及び、映像機器ラック、収納自在なスクリーンを具備した映像機器ラック一体型プロジェクタに関するものである。
【背景技術】
【０００２】
この種の投射型映像表示装置は、例えば図６に示すような出窓部分１に配置されるプロジェクタ４と、該プロジェクタ４からの投射光を反射する反射手段５と、昇降可能であり、上昇位置で前記反射手段からの投射光を裏側に投射するスクリーン７とを具えた特許文献１記載の構成が知られている。
【特許文献１】特開平５−６６４７１号公報
【発明の開示】
【発明が解決しようとする課題】
【０００３】
前記先行技術の投射型映像表示装置は、出窓部分に投射型映像表示装置が組込設置されており、テレビ等の映像機器を出窓とは異なる場所に設置した時には鑑賞者が投射型映像表示装置の映像と映像機器の映像を鑑賞する方向を夫々変える必要があった。
【０００４】
そこで、映像機器を出窓部分に設置すると、映像機器が出窓風景を鑑賞することの妨げとなる為、映像機器を設置する場所として別の設置空間が必要となる。
【課題を解決するための手段】
【０００５】
上記課題を解決する為の第１の手段は、映像機器ラックの天面側に配置され前記ラックの前方に映像を投射する短焦点の投射型映像表示装置と、該投射型映像表示装置から投射された映像が投射可能となる投影位置と収納されて投影不能となる収納位置間で変位可能なスクリーンと、前記投射型映像表示装置の下方にあり、映像表示面を前方に向けた状態で映像機器を収納可能な収納部を備える映像機器ラック一体型プロジェクタであり、前記スクリーンが前記投影位置にある場合に、前記収納部は前記スクリーンにより非露出状態となり、前記収納位置にある場合に前記収納部は露出状態となることによるものである。
【０００６】
第２の手段は、映像機器ラックの天面側に配置された投射型映像表示装置と、該投射型映像表示装置の投射レンズからの投射光を屈曲反射させて映像機器ラックの前面へ映像を投射する反射鏡と、前記反射鏡から反射された映像が投射可能となる投影位置と収納されて投影不能となる収納位置間で変位可能なスクリーンと、前記投射型映像表示装置の下方にあり、映像表示面を前方に向けた状態で映像機器を収納可能な収納部を備える映像機器ラック一体型プロジェクタであり、前記スクリーンが前記投影位置にある場合に、前記収納部は前記スクリーンにより非露出状態となり、前記収納位置にある場合に前記収納部は露出状態となることによるものである。
【０００７】
また、短焦点の投射型映像表示装置または投射型映像表示装置や映像機器のケーブル類を映像機器ラックの内外へ引き回すための複数のケーブル通し穴を備えていても良いものである。
【発明の効果】
【０００８】
本願発明によれば投射型映像表示装置による映像の表示面と、映像機器の表示面が同一方向となるように両者を設置できる為、双方の鑑賞を容易に行うことが出来ると共に、設置場所の省スペース化が図れる。
【発明を実施するための最良の形態】
【０００９】
（第１実施形態）
以下、本願発明の第１実施形態を図１乃至図３を参照して詳細に説明する。
【００１０】
図１は、本願発明に係る短焦点の投射型映像表示装置としての短焦点プロジェクタ２０の側断面図で、図示しない超高圧水銀ランプ等の光源から出射された光を反射鏡、レンズ、偏光板、液晶バルブ等を含む複数の光学部品により映像信号に基づき変調する光変調部２１と、光変調部２１からの映像を拡大投射する投射レンズ２２と、投射レンズ２２の投射方向に配置され、投射レンズ２２から投射された映像の映像光路２３を屈曲させる凹面反射鏡２４と、短焦点プロジェクタ２０の筐体２５と映像光路２３が交差する部分に形成された投射窓２６から構成されている。
【００１１】
また、短焦点プロジェクタ２０を直立させた状態では、短焦点プロジェクタ２０の筐体２５に形成された投射窓２６から投射された映像は、床面２７に投影できるようになっている。
【００１２】
図２は、本願発明に係る第１実施形態の映像機器ラック一体型プロジェクタ２８を第三角法で三面図に図示したものである。尚、以下図２、図３、図４、図５には同様に夫々の説明に用いている映像機器ラック一体型プロジェクタにかかる正面図を符号（ａ）、上面図を符号（ｂ）、側面図を符号（ｃ）として図示している。
【００１３】
短焦点プロジェクタ２０は、ラック２９の上段にある天面空間３０に設置され、留め具３１によってラック２９に対して螺着固定され、且つ投射窓２６から投射される映像がラック２９の前面へ投射可能に水平設置されている。
【００１４】
液晶テレビ設置場所３２は、ラック２９の中段に設けられ、前面側のみ開口された略直方体の空間である。液晶テレビ設置場所３２は前面側と後述のケーブル通し穴３７以外からは外光が射し込まない構造をしている。
【００１５】
引き出し３３は、ラック２９の下段に設けられ、収納物を収納する際に区分可能な様に複数配置されている。
【００１６】
巻き取り式スクリーン３４は、短焦点プロジェクタ２０同様にラック２９の上段にある天面空間３０に収納され、巻き取り式スクリーン３４の主軸４１は、天面空間３０の両側内側面に回転可能に固定されている。
【００１７】
前記主軸４１は、図示しない渦状にバネ材を巻いて成されるぜんまいバネを具備しており、ユーザーが手動で巻き取り式スクリーン３４の端辺を引き出すことにより、ぜんまいバネが弾性変形し巻き取り式スクリーン３４を引き戻す力が発生する。しかし、巻き取り式スクリーン３４は、完全に映像機器設置空間３２の前面に垂下させると、巻き取り式スクリーン３４の端辺とラック２９に具備されている図示しない留め具機構または磁石等により一時固定され、垂下状態で保持可能となる。また、解除する際には、留め具機構または磁石等の保持力より強い力で巻き取り式スクリーン３４を引き上げることにより解除することが可能となる。
【００１８】
仕切り板３５は、天面空間３０と液晶テレビ設置場所３２の間に設けられた隔壁である。
【００１９】
投射穴３６は、仕切り板３５に設けられ、短焦点プロジェクタ２０の投射窓２６から投射される映像面より十分大きく開いた空間である。
【００２０】
ケーブル通し穴３７は、短焦点プロジェクタ２０または液晶テレビ３８に使用する電源ケーブルまたは映像機器ケーブル等をラック内外に引き回す為、ラック２９の複数の場所に設けられた通し穴である。
【００２１】
識別線３９は、液晶テレビ設置場所３２の両側内側面に具備されている。識別線３９は、短焦点プロジェクタ２０の投射窓２６から投射される下限の映像光路２３の跡をペイントまたは凹凸によって示しており、液晶テレビ３８をユーザーが液晶テレビ設置場所３２に設置する時に映像光路２３を遮って設置しないための目印になっている。
【００２２】
図３は、前記映像機器ラック一体型プロジェクタ２８において天面空間３０に収納された巻取り式スクリーン３４を伸ばして使用した状態を第三角法で三面図に図示したものである。
【００２３】
この状態では、短焦点プロジェクタ２０の投射窓２６から投射された映像が投射穴３６を経て、巻き取り式スクリーン３４に映像４０が投影される。
【００２４】
また、液晶テレビ設置場所３２に設置されている液晶テレビ３８は、巻き取り式スクリーン３４により隠れている為、短焦点プロジェクタ２０の生成する映像を鑑賞する時に最適である。
【００２５】
また、巻き取り式スクリーン３４が天面空間３０に収納された図２の状態では、液晶テレビ３８を鑑賞者から見て遮るものは何もなく、液晶テレビ３８の映像を鑑賞する時に最適である。
【００２６】
また、液晶テレビ３８を設置する際に液晶テレビ設置場所３２の両側内側面に設けられた識別線３９によって、ユーザーに映像光路２３の下限側を把握させることが可能で有る為に液晶テレビ３８が映像光路２３を遮ることが無いように設置することが容易となる。
【００２７】
この様に、短焦点プロジェクタ２０、ラック２９、収納自在な巻き取り式スクリーン３４を一体とした映像機器ラック一体型プロジェクタ２８とすることによって、短焦点プロジェクタ２０や、液晶テレビ３８を配置する場所が同一設置方向に設置できる為、短焦点プロジェクタ２０の投射窓２６から投射される映像と液晶テレビ３８の映像とを鑑賞する方向が同一で夫々の映像鑑賞が容易に出来ると共に、設置場所の省スペース化が図れる。
【００２８】
また、備え付けのケーブル通し穴３７がある為、引き回しのためのケーブル配線が容易となる。
【００２９】
更に、短焦点プロジェクタ２０の使用時には、巻き取り式スクリーン３４が垂下され、その裏にある液晶テレビ設置場所３２に光が射し込み難いように囲まれる為、明るい室内でも短焦点プロジェクタ２０の映像鑑賞が容易となる。
【００３０】
また、巻き取り式スクリーン３４は、手動で垂下動作を行ったが巻き取り式スクリーン３４がたるまない様にその端辺重量を増やし、電動モーター等により主軸４１を回転させて自動で使用または収納を行っても良いものとする。
【００３１】
また、第１実施形態では、液晶テレビ設置場所３２と天面空間３０との間を仕切り板３５により仕切ったが、仕切り板３５をなくし、天面空間３０と液晶テレビ設置場所３２を一つの空間としても良いものとする。
【００３２】
また、液晶テレビ３８は、液晶テレビ設置場所３２へ直立させて設置しているが映像光路２３を遮らない限り、壁掛け設置を行っても良いものとする。
【００３３】
（第２実施形態）
以下、本願発明の第２実施形態を図４または図５を参照して詳細に説明する。
【００３４】
図４は、第２実施形態における映像機器ラック一体型プロジェクタ１２８を三角法で三面図に図示したものであり、第１実施形態と同一部品については同一符号を付して説明を省略する。
【００３５】
第１実施形態では、短焦点の投射型映像表示装置として短焦点プロジェクタ２０をラック２９の液晶テレビ設置場所３２の天面空間３０に留め具３１によってラック２９に対して固定され、且つ投射窓２６から投射される映像がラック２９の前面へ投射可能に水平設置したが、短焦点プロジェクタ２０の代わりとして該短焦点プロジェクタ２０より長焦点なプロジェクタである既存のプロジェクタ２０ａと凹面反射鏡２４ａとを使用している。
【００３６】
プロジェクタ２０ａは、ラック２９の液晶テレビ設置場所３２の天面空間３０に留め具３１によってラック２９に対して水平に螺着固定されている。
【００３７】
凹面反射鏡２４ａは、天面空間３０の内壁面から突出した図示しない固定部に凹面反射鏡２４ａの図示しないフランジ部を固定され、投射レンズ２２ａから投射された映像を屈曲反射させる為に投射レンズ２２ａの投射方向に固定されている。
【００３８】
そして、プロジェクタ２０ａと凹面反射鏡２４ａとを組み合わせた時に投射レンズ２２ａからの映像がラック２９の前面へ投射可能になっており、それらを組み合わせた焦点距離は、前記短焦点プロジェクタ２０とほぼ同等となるように凹面反射鏡２４ａの曲率半径や投射レンズ２２ａからの設置距離が設定されている。
【００３９】
図５は、前記第２の実施形態の映像機器ラック一体型プロジェクタ１２８において図３と同様に天面空間３０に収納された巻取り式スクリーン３４を伸ばして使用した状態を第三角法で三面図に図示したものであり、プロジェクタ２０ａの投射レンズ２２ａから投射された映像を凹面反射鏡２４ａにより屈曲させ、巻き取り式スクリーン３４へ映像４０を投影させている。
【００４０】
この様に、プロジェクタ２０ａ、凹面反射鏡２４ａ、ラック２９、収納自在な巻き取り式スクリーン３４を一体とした映像機器ラック一体型プロジェクタ１２８とすることによって、第１実施形態と同様な作用効果を得ることができる。また、既存の投射型映像表示装置を使用することが可能であると共に、凹面反射鏡２４ａを投射型映像表示装置の筐体２５で覆う必要がないため、筐体２５の材料コストも削減をすることができる。
【図面の簡単な説明】
【００４１】
【図１】第１実施形態の短焦点プロジェクタの断面図
【図２】第１実施形態の短焦点プロジェクタを使用した映像機器ラック一体型プロジェクタ（液晶テレビ映鑑賞時）
【図３】第１実施形態の短焦点プロジェクタを使用した映像機器ラック一体型プロジェクタ（プロジェクタ映像鑑賞時）
【図４】第２実施形態のプロジェクタと凹面反射鏡を使用した映像機器ラック一体型プロジェクタ（液晶テレビ映像鑑賞時）
【図５】第２実施形態のプロジェクタと凹面反射鏡を使用した映像機器ラック一体型プロジェクタ（プロジェクタ映像鑑賞時）
【図６】出窓部分に投射型映像表示装置を組み込んだ先行技術実施例
【符号の説明】
【００４２】
２０  短焦点のプロジェクタ（短焦点の投射型映像表示装置）
２８  映像機器ラック一体型プロジェクタ
２９  ラック（映像機器ラック）
３０  天面空間
３２  液晶テレビ設置場所（収納部）
３４  巻き取り式スクリーン（スクリーン）
1204093597203_0.jpg','11991225961','0')
３８  液晶テレビ（映像機器）
【図１】
2009204811.tif 000003
【図２】
2009204811.tif 000004
【図３】
2009204811.tif 000005
【図４】
2009204811.tif 000006
【図５】
2009204811.tif 000007
【図６】
2009204811.tif 000008